(57)【要約】【課題】明かりが十分にとれない場合や視覚に障害がある場合でもファスナーの掛け違い防止を図ることのできる触知用スナップファスナー及びこれを備えた被服を提供すること。【解決手段】各々の一面側に臨む嵌合部３（３Ａ、３Ｂ）どうしが相互に着脱自在であり、各々の他面側に臨むヘッド９表面に触知用凹凸８を設けた雌雄のファスナー体１，２を具備する。前記雌雄のファスナー体１，２の前記触知用凹凸８の態様が相互に同一である。【選択図】図１
0003235391.tif 000002
【実用新案登録請求の範囲】
【請求項１】
各々の一面側に臨む嵌合部どうしが相互に着脱自在であり、各々の他面側に臨むヘッド表面に触知用凹凸を設けた雌雄のファスナー体を具備する触知用スナップファスナー。
【請求項２】
前記雌雄のファスナー体の前記触知用凹凸の態様が相互に同一である請求項１に記載の触知用スナップファスナー。
【請求項３】
前記触知用凹凸を、凸部、凹部、粗面部のいずれか一種または二種以上の組み合わせによって構成してある請求項１又は２に記載の触知用スナップファスナー。
【請求項４】
請求項１〜３の何れか一項に記載の触知用スナップファスナーを備えた被服。
【考案の詳細な説明】
【技術分野】
【０００１】
本考案は、例えば、被服の生地等に取り付けられる触知用スナップファスナー及びこれを備えた被服に関する。
【背景技術】
【０００２】
従来のスナップファスナーとして、図５（Ａ）及び（Ｂ）に示すように、相互に連結及び分離自在な雌雄のファスナー体１，２を具備するものがある。雌雄のファスナー体１，２は、各々の一面側に臨む嵌合部３（雌型嵌合部３Ａ、雄型嵌合部３Ｂ）どうしが相互に着脱自在に構成されている。
【０００３】
雄型のファスナー体２は、図５（Ｃ）に示すように、リベット部材４と嵌合用部材５との間に布地等のシート状部材（可撓性基材）６を配置し、図５（Ｄ）に示すように、リベット部材４の突起４ａをシート状部材６に突き刺すと共に嵌合用部材５の貫通孔５ａに挿通させ、その突起４ａの先端部を打込み具に装備されたカシメパンチ７で打撃して拡径変形させることにより（図５（Ｅ）参照）、リベット部材４と嵌合用部材５とをシート状部材６を挟んだ状態にカシメ止めして得られる。なお、雌型のファスナー体１も同様に得られるのであり、その説明は省略する。
【０００４】
リベット部材４及び嵌合用部材５は、例えばポリアセタール、ナイロン、ポリエステル（不飽和アルキドとビニール系モノマーの混合物）、ポリアミド樹脂等の合成樹脂によって成形することができ、耐熱性に富む合成樹脂で成形するのが好ましい。
【先行技術文献】
【特許文献】
【０００５】
【特許文献１】登録実用新案第３０６１５９５号公報
【特許文献２】登録実用新案第３０７５８０２号公報
【考案の概要】
【考案が解決しようとする課題】
【０００６】
ところで、こうしたスナップファスナーを例えば衣服の打ち合わせに複数設けてその開閉が可能となるように構成した場合、その着用時にファスナーの掛け違いが生じ得る。そこで、各ファスナー体の配色を工夫して、掛け違いが生じにくくなるようにすることも考えられるが（特許文献１、２）、明かりが十分にとれない場合や視覚に障害がある場合には、掛け違い防止を図れないことがある。
【０００７】
本考案は上述の事柄に留意してなされたもので、その目的は、明かりが十分にとれない場合や視覚に障害がある場合でもファスナーの掛け違い防止を図ることのできる触知用スナップファスナー及びこれを備えた被服を提供することにある。
【課題を解決するための手段】
【０００８】
上記目的を達成するために、本考案に係る触知用スナップファスナーは、各々の一面側に臨む嵌合部どうしが相互に着脱自在であり、各々の他面側に臨むヘッド表面に触知用凹凸を設けた雌雄のファスナー体を具備する（請求項１）。
【０００９】
上記触知用スナップファスナーにおいて、前記雌雄のファスナー体の前記触知用凹凸の態様が相互に同一であってもよい（請求項２）。
【００１０】
上記触知用スナップファスナーにおいて、前記触知用凹凸を、凸部、凹部、粗面部のいずれか一種または二種以上の組み合わせによって構成してあってもよい（請求項３）。
【００１１】
一方、上記目的を達成するために、本考案に係る被服は、請求項１〜３の何れか一項に記載の触知用スナップファスナーを備えた（請求項４）。
【考案の効果】
【００１２】
本願考案では、明かりが十分にとれない場合や視覚に障害がある場合でもファスナーの掛け違い防止を図ることのできる触知用スナップファスナー及びこれを備えた被服が得られる。
【００１３】
すなわち、本願の各請求項に係る考案の触知用スナップファスナーでは、雌雄のファスナー体の各々の他面側に臨むヘッド表面に設けた触知用凹凸を指の腹等で触って確認することにより、これから閉じようとする雌雄のファスナー体が対応するか否かを判断できるようにすれば、ファスナーの掛け違い防止を図ることができる。そして、こうした判断は、視覚によらないものであるので、明かりが十分にとれない場合や視覚に障害がある場合でも行うことが可能である。
【００１４】
請求項２に係る考案の触知用スナップファスナーでは、雌雄のファスナー体の触知用凹凸の態様が同一であるか否かにより、これから閉じようとする雌雄のファスナー体が対応するか否かを判断できるようになるので、その使用性の向上を図ることができる。
【００１５】
請求項３に係る考案の触知用スナップファスナーでは、触知用凹凸を凸部、凹部、粗面部のいずれか一種または二種以上の組み合わせによって構成するので、雌雄のファスナー体の対応の是非を判断し易い手触り等を触知用凹凸に付与するのが容易となる。
【図面の簡単な説明】
【００１６】
【図１】（Ａ）は本考案の一実施の形態に係る触知用スナップファスナーのリベット部材の正面図、（Ｂ）は（Ａ）のＡ−Ａ線断面図、（Ｃ）は前記触知用スナップファスナーの雌雄のファスナー体の連結状態を示す説明図である。
【図２】前記触知用スナップファスナーを取り付ける衣服の説明図である。
【図３】（Ａ）〜（Ｄ）はそれぞれ、前記触知用スナップファスナーの変形例を示す正面図である。
【図４】（Ａ）及び（Ｂ）はそれぞれ、前記触知用スナップファスナーの他の変形例を示す縦断面図である。
【図５】（Ａ）及び（Ｂ）は従来のスナップファスナーの分離状態及び連結状態を示す説明図、（Ｃ）〜（Ｅ）はその製造工程を示す説明図である。
【考案を実施するための形態】
【００１７】
本考案の実施の形態について以下に説明する。
【００１８】
図１（Ｃ）に示す触知用スナップファスナーは、各々の一面側に臨む嵌合部３（雌型嵌合部３Ａ、雄型嵌合部３Ｂ）どうしが相互に着脱自在であり、各々の他面側に臨むヘッド９（ベース４ｂ）表面に触知用凹凸８を設けた雌雄のファスナー体１，２を具備する（図１（Ａ）、（Ｂ）も参照）。
【００１９】
すなわち、雌雄のファスナー体１，２は、図５（Ａ）〜（Ｅ）に示す雌雄のファスナー体１，２と、触知用凹凸８を有している点でのみ異なり、図５（Ａ）〜（Ｅ）に示す雌雄のファスナー体１，２と同様に得ることができる。そして、図１（Ａ）及び（Ｂ）に示すリベット部材４は、図５（Ｃ）に示すリベット部材４と、触知用凹凸８を有している点でのみ異なる。
【００２０】
本例のヘッド９は、突起４ａとでリベット部材４を構成する略円盤状を呈するベース４ｂによって構成してあり、その表面は全体として球面の一部となるような曲面状を呈する。
【００２１】
触知用凹凸８は、図１（Ａ）に示すように、ベース４ｂ（ヘッド９）の表面に８個（複数個の一例）設けられていて、各触知用凹凸８はベース４ｂの表面の中心から等距離の位置にあり、かつ、その中心まわりに等間隔に並んでいる。なお、触知用凹凸８の数は８個に限らず、例えば２〜１０個の範囲で適宜に設定すればよい。また、複数の触知用凹凸８の配置も上記のものに限らず、行列状、放射状、渦巻き状等、適宜に変更可能である。
【００２２】
また、各触知用凹凸８は、図１（Ｂ）及び（Ｃ）に示すように、点状の凸部（突起ないし出っ張り）として構成してある。ここで、ベース４ｂの直径（外径）Ｄは例えば７〜２０ｍｍとすることができるが、斯かるベース４ｂの直径Ｄの大きさにかかわらず、点状の凸部として構成する触知用凹凸８については、その高さｈを０．１〜２ｍｍ、その直径（外径）を０．５〜２ｍｍの範囲とすることが、触知用とする（手指で触って確認できるようにする）上で好ましい。
【００２３】
点状の凸部として構成してある触知用凹凸８の上端（先端）の周縁は、角張らせずに丸みをつけておく（Ｒをつけておく）のが、手指で触れたときに不快感を感じ難くする等の点で好適である。
【００２４】
そして、本例では、雌雄のファスナー体１，２の各々の表面側に設ける触知用凹凸８の態様（形状、配置、個数等）を相互に同一としてある。
【００２５】
上記のように構成した触知用スナップファスナーは、例えば図２に示すベビー用カバーオール（被服の一例）の打ち合わせに複数のスナップファスナーＳ１〜Ｓ１４を取り付ける場合、その一部のスナップファスナーに用いるのが好適であり、他部は触知用凹凸８を持たない通常のスナップファスナー（平滑スナップファスナー。例えば図５（Ａ）及び（Ｂ）に示す従来のスナップファスナーと同様のもの）とすることが考えられる。
【００２６】
具体的には、図２の例の場合、複数のスナップファスナーＳ１〜Ｓ１４のうち、手探りで位置を特定し易い箇所にある特定のスナップファスナーＳ（例えばスナップファスナーＳ１、Ｓ６、Ｓ１０及びＳ１４の四つ、あるいはＳ１、Ｓ６の二つ、あるいはＳ１、Ｓ１０、Ｓ１４の三つなど）は触知用スナップファスナーとし、これら以外は通常のスナップファスナーとしてもよいし、逆に、上記特定のスナップファスナーＳを通常のスナップファスナーとしこれら以外を触知用スナップファスナーとしてもよい。また、一つの触知用スナップファスナーと、複数（例えば二つ）の通常のスナップファスナーを一組として、これらが繰り返し並ぶようにしてもよいし、逆に、一つの通常のスナップファスナーと、複数（例えば二つ）の触知用スナップファスナーを一組として、これらが繰り返し並ぶようにしてもよい。
【００２７】
上記のように構成した本例の触知用スナップファスナーでは、雌雄のファスナー体１、２の各々の他面側に臨むヘッド９（ベース４ｂ）表面に設けた触知用凹凸８を指の腹等で触って確認することにより、これから閉じようとする雌雄のファスナー体１，２が対応するか否か（ともに触知用スナップファスナーであるか否か）を判断できるので、ファスナーの掛け違い防止を図ることができる。そして、こうした判断は、視覚によらないものであるので、明かりが十分にとれない場合や視覚に障害がある場合でも行うことが可能である。
【００２８】
ここで、雌雄のファスナー体１，２の触知用凹凸８の態様は異なっていてもよいが、本例では同一としてあり、これにより、これから閉じようとする雌雄のファスナー体が対応するか否かをより容易に判断できるので、その使用性の向上を図ることができる。
【００２９】
なお、本考案は、上記の実施の形態に何ら限定されず、本考案の要旨を逸脱しない範囲において種々に変形して実施し得ることは勿論である。例えば、以下のような変形例を挙げることができる。
【００３０】
図１（Ａ）の例では、複数の触知用凹凸８をそれぞれ点状の凸部に構成してあるが、これに限らず、例えば図３（Ａ）に示すように環状等の他の形状の凸部（突起、突条、出っ張り等）に構成してもよい。また、触知用凹凸８を環状の凸部とする場合、複数の触知用凹凸８の大きさを異ならせて同心円状に設ける、といったことも考えられる。
【００３１】
図３（Ｂ）の例では、計四つの触知用凹凸８をそれぞれ楕円状の凸部にし、ヘッド９表面においてその中央から周縁に向かう放射状に配置してある。もちろんこの場合、触知用凹凸８は三つ以下あるいは五つ以上としてもよい。
【００３２】
図３（Ｃ）の例では、一つのみ配する触知用凹凸８を、ヘッド９表面の中央を通る直線（帯）状の凸部にしてある。もちろんこの場合、触知用凹凸８を二つ以上としてもよい。
【００３３】
図３（Ｄ）の例では、計二つの触知用凹凸８を、ヘッド９表面の中央から周縁に向かって延びる扇形状の凸部にしてある。もちろんこの場合、触知用凹凸８を一つあるいは三つ以上としてもよい。
【００３４】
触知用凹凸８の態様は、その製造上、ヘッド９表面において線対称ないし点対称となるようにしてあるのが好ましい場合があるので、図１（Ａ）、図３（Ａ）〜（Ｄ）の例もこの点を考慮しているが、製造上等で問題が無ければ、ヘッド９表面において線対称ないし点対称となっていなくてもよい。
【００３５】
従って、例えばヘッド９表面に複数の触知用凹凸８を設ける場合に、その形状を統一しないことも考えられる。また、触知用凹凸８を例えば何らかの文字を象ったものとして構成することも可能である。
【００３６】
また、触知用凹凸８の態様にバリエーションを持たせ、その触感が明確に異なる複数種の触知用スナップファスナーを構成する場合には、例えば図２に示す衣服の全てのスナップファスナーＳ１〜Ｓ１４を触知用スナップファスナーとすることも可能である。
【００３７】
また、触知用凹凸８は、ヘッド９表面を例えば指の腹でなでるように触れた際にその表面に形成されている凹凸（ここでいう凹凸は、ヘッド９表面の全体が上記のように曲面状になっていることを含まない）を明確に触知できるように構成してあればよいのであって、凸部とするものに限らず、凹部あるいは粗面部としてもよく、凸部、凹部、粗面部のうちの二種以上の組み合わせによって構成してもよい。いずれの場合も、雌雄のファスナー体１、２の対応の是非を判断し易い手触り等を触知用凹凸８ないしヘッド９表面に付与するのは容易である。
【００３８】
触知用凹凸８を粗面部とする場合、ヘッド９表面の全体（全面）にわたって触知用凹凸８を設けることも可能である。
【００３９】
図１（Ａ）〜（Ｃ）の例では、リベット部材４のベース４ｂがヘッド９を構成するようにし、その表面に触知用凹凸８を設けているが、これに限らず、例えば図４（Ａ）に示すように、リベット部材４のベース４ｂ表面を覆う金属製の巻き部材１０を設け、この巻き部材１０とベース４ｂとがヘッド９を構成するようにし、この巻き部材１０の表面（つまりはヘッド９の表面）に触知用凹凸８を設けるようにしてもよい（なお、図４（Ａ）では触知用凹凸８の図示は省略している）。
【００４０】
またこの場合、図４（Ｂ）に示すように、巻き部材１０に開口１０ａを設け、この開口１０ａが触知用凹凸８となるように構成してもよいし、ベース４ｂにおいて開口１０ａから露出する部分や巻き部材１０において開口１０ａ以外の部分に触知用凹凸８を設けるようにしてもよい。なお、開口１０ａが触知用凹凸８となるように構成するには、巻き部材１０の厚みをある程度大きくし、開口１０ａの縁を明確に触知できるようにしておく必要がある。
【００４１】
本考案の触知用スナップファスナーを取り付ける被服は、図２に示すベビー用カバーオールに限らず、例えば一般にスナップファスナーが取り付けられることのあるシャツ、パジャマ等であってもよい。
【００４２】
なお、上記変形例どうしを適宜組み合わせてもよいことはいうまでもない。
【符号の説明】
【００４３】
１    雌型のファスナー体
２    雄型のファスナー体
３    嵌合部
３Ａ  雌型嵌合部
３Ｂ  雄型嵌合部
４    リベット部材
４ａ  突起
４ｂ  ベース
５    嵌合用部材
６    シート状部材
７    カシメパンチ
８    触知用凹凸
９    ヘッド
１０    巻き部材
１０ａ  開口
Ｄ    ヘッドの直径
ｈ    触知用凹凸の高さ
Ｓ    スナップファスナー（Ｓ１〜Ｓ１４）
【図１】
0003235391.tif 000003
【図２】
0003235391.tif 000004
【図３】
0003235391.tif 000005
【図４】
0003235391.tif 000006
【図５】
0003235391.tif 000007